【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
交換レンズと該交換レンズを装着可能なカメラ本体とから構成されるカメラシステムにおいて、
前記交換レンズは、単位移動量に対する第１の像面移動量を有する第１の焦点調節レンズ群と、単位移動量に対する第１の像面移動量よりも小さい第２の像面移動量を有する第２の焦点調節レンズ群と、マニュアルフォーカスを行うためのＭＦ操作部と、前記ＭＦ操作部の操作と前記カメラ本体からの指示とに応じて前記第１の焦点調節レンズ群または前記第２の焦点調節レンズ群の駆動制御を行うレンズ駆動制御部と、を有し、
前記レンズ駆動制御部は、前記カメラ本体に前記交換レンズが装着された状態で前記ＭＦ操作部が操作された場合に、前記カメラ本体からの指示に応じて前記第１の焦点調節レンズ群または前記第２の焦点調節レンズ群を選択し、前記ＭＦ操作部の操作に応じて選択した前記第１の焦点調節レンズ群または前記第２の焦点調節レンズ群を駆動制御することを特徴とするカメラシステム。
【請求項２】
前記カメラ本体は合焦度を検出する焦点検出部を有し、前記レンズ駆動制御部は、前記焦点検出部の出力する合焦度が所定の判定値を越える場合に前記第２の焦点調節レンズ群を選択するように前記レンズ駆動制御部に指示することを特徴とする請求項１に記載のカメラシステム。
【請求項３】
前記カメラ本体は複数の動作モードを設定可能であり、より許容深度が小さい動作モードが設定されている場合に、前記レンズ駆動制御部は、前記第２の焦点調節レンズ群を選択するように前記レンズ駆動制御部に指示することを特徴とする請求項１に記載のカメラシステム。
【請求項４】
交換レンズと該交換レンズを装着可能なカメラ本体とから構成されるカメラシステムにおいて、
前記交換レンズは、単位移動量に対する第１の像面移動量を有する第１の焦点調節レンズ群と、単位移動量に対する第１の像面移動量よりも小さい第２の像面移動量を有する第２の焦点調節レンズ群と、前記カメラ本体からの指示とに応じて前記第１の焦点調節レンズ群または前記第２の焦点調節レンズ群の駆動制御を行うレンズ駆動制御部と、を有し、
前記カメラ本体は、前記第１の焦点調節レンズ群および前記第２の焦点調節レンズ群の焦点状態を検出して合焦位置を算出する焦点検出部を有し、
前記レンズ駆動制御部は、前記カメラ本体からの指示された合焦位置に向けて前記第１の焦点調節レンズ群を駆動するとともに、その際に発生する前記第１の焦点調節レンズ群の停止位置と合焦位置のずれ量を算出し、算出した前記ずれ量に基づいて前記第２の焦点調節レンズ群の駆動制御を行うことを特徴とするカメラシステム。
【請求項５】
カメラ本体に装着可能な交換レンズにおいて、
単位移動量に対する第１の像面移動量を有する第１の焦点調節レンズ群と、
単位移動量に対して第１の像面移動量よりも小さい第２の像面移動量を有する第２の焦点調節レンズ群と、
マニュアルフォーカスを行うためのＭＦ操作部と、
前記ＭＦ操作部が操作された場合に、前記第１の焦点調節レンズ群または前記第２の焦点調節レンズ群を選択し、前記ＭＦ操作部の操作に応じて選択した前記第１の焦点調節レンズ群または前記第２の焦点調節レンズ群を駆動制御するレンズ駆動制御部と、
を有することを特徴とする交換レンズ。
【請求項６】
複数の動作モードを設定可能なモード設定部を有し、
前記レンズ駆動制御部は、前記モード設定部により設定された動作モードが通常よりも許容深度が小さい動作モードが設定されている場合に、前記第２の焦点調節レンズ群を選択することを特徴とする請求項５に記載の交換レンズ。
【請求項７】
複数の焦点調節レンズ群を有するカメラにおいて、
単位移動量に対する第１の像面移動量を有する第１の焦点調節レンズ群と、
単位移動量に対して第１の像面移動量よりも小さい第２の像面移動量を有する第２の焦点調節レンズ群と、
マニュアルフォーカスを行うためのＭＦ操作部と、
前記ＭＦ操作部が操作された場合に、前記第１の焦点調節レンズ群または前記第２の焦点調節レンズ群を選択し、前記ＭＦ操作部の操作に応じて選択した前記第１の焦点調節レンズ群または前記第２の焦点調節レンズ群を駆動制御するレンズ駆動制御部と、
を有することを特徴とするカメラ。
【請求項８】
前記複数の焦点調節レンズ群の合焦度を検出する焦点検出部を有し、
前記レンズ駆動制御部は、前記焦点検出部により検出された前記合焦度が所定の判定値を越える場合に前記第２の焦点調節レンズ群を選択することを特徴とする請求項７に記載のカメラ。
【請求項９】
前記所定の判定値は、上記焦点検出部により検出される合焦度の極大値に関連して設定されることを特徴とする請求項８に記載のカメラ。
【請求項１０】
複数の動作モードを設定可能なモード設定部を有し、
前記レンズ駆動制御部は、前記モード設定部により設定された動作モードが通常よりも許容深度が小さい動作モードが設定されている場合に、前記第２の焦点調節レンズ群を選択することを特徴とする請求項７に記載のカメラ。
【手続補正２】
【補正対象書類名】明細書
【補正対象項目名】発明の名称
【補正方法】変更
【補正の内容】
【発明の名称】カメラシステム、交換レンズ、およびカメラ
【手続補正３】
【補正対象書類名】明細書
【補正対象項目名】０００１
【補正方法】変更
【補正の内容】
【０００１】
本発明は、撮影レンズと、撮影レンズを装着可能なカメラ本体から構成されるカメラシ
ステム、交換レンズ、およびカメラに関する。
【手続補正４】
【補正対象書類名】明細書
【補正対象項目名】０００９
【補正方法】変更
【補正の内容】
【０００９】
本発明の目的は、上記問題を解決し、ＭＦ時に合焦位置付近でのピントの微調節を良好な操作性で行うことが可能であると共に、ＡＦ時に高精度なフォーカスレンズの駆動制御を行うことができるカメラシステム、交換レンズ、およびカメラを提供することにある
【手続補正５】
【補正対象書類名】明細書
【補正対象項目名】００１１
【補正方法】変更
【補正の内容】
【００１１】
第２の発明に係るカメラシステムは、交換レンズと該交換レンズを装着可能なカメラ本体とから構成されるカメラシステムにおいて、前記交換レンズは、単位移動量に対する第１の像面移動量を有する第１の焦点調節レンズ群と、単位移動量に対する第１の像面移動量よりも小さい第２の像面移動量を有する第２の焦点調節レンズ群と、前記カメラ本体からの指示とに応じて前記第１の焦点調節レンズ群または前記第２の焦点調節レンズ群の駆動制御を行うレンズ駆動制御部と、を有し、前記カメラ本体は、前記第１の焦点調節レンズ群および前記第２の焦点調節レンズ群の焦点状態を検出して合焦位置を算出する焦点検出部を有し、前記レンズ駆動制御部は、前記カメラ本体からの指示された合焦位置に向けて前記第１の焦点調節レンズ群を駆動するとともに、その際に発生する前記第１の焦点調節レンズ群の停止位置と合焦位置のずれ量を算出し、算出した前記ずれ量に基づいて前記第２の焦点調節レンズ群の駆動制御を行うことを特徴とする。
第３の発明に係る交換レンズは、カメラ本体に装着可能な交換レンズにおいて、単位移動量に対する第１の像面移動量を有する第１の焦点調節レンズ群と、単位移動量に対して第１の像面移動量よりも小さい第２の像面移動量を有する第２の焦点調節レンズ群と、マニュアルフォーカスを行うためのＭＦ操作部と、前記ＭＦ操作部が操作された場合に、前記第１の焦点調節レンズ群または前記第２の焦点調節レンズ群を選択し、前記ＭＦ操作部の操作に応じて選択した前記第１の焦点調節レンズ群または前記第２の焦点調節レンズ群を駆動制御するレンズ駆動制御部と、を有することを特徴とする。
第４の発明に係るカメラは、複数の焦点調節レンズ群を有するカメラにおいて、単位移動量に対する第１の像面移動量を有する第１の焦点調節レンズ群と、単位移動量に対して第１の像面移動量よりも小さい第２の像面移動量を有する第２の焦点調節レンズ群と、マニュアルフォーカスを行うためのＭＦ操作部と、前記ＭＦ操作部が操作された場合に、前記第１の焦点調節レンズ群または前記第２の焦点調節レンズ群を選択し、前記ＭＦ操作部の操作に応じて選択した前記第１の焦点調節レンズ群または前記第２の焦点調節レンズ群を駆動制御するレンズ駆動制御部と、を有することを特徴とする。
【手続補正６】
【補正対象書類名】明細書
【補正対象項目名】００１２
【補正方法】変更
【補正の内容】
【００１２】
本発明によれば、ＭＦ時に合焦位置付近でのピントの微調節を良好な操作性で行うこと
が可能であると共に、ＡＦ時に高精度なフォーカスレンズの駆動制御を行うことが可能な
カメラシステム、交換レンズ、およびカメラを提供することができる。